(57)【要約】【課題】著作権者にとっては、負担が軽減され、かつ一次コンテンツに対する所望の編集制限を作成でき、情報発信者にとっては、著作権法の違反を回避し、一次コンテンツに対して所望の編集を可能にすることで、両者にとって利便性を向上させる。【解決手段】一次コンテンツを取得するコンテンツ取得部１３５と、取得した一次コンテンツに対する編集可能な制約を示すコンテンツ編集制限を取得する編集制限取得部１３６と、コンテンツ編集制限の制約に基づいて一次コンテンツから編集可能な映像クリップを抽出して、抽出した映像クリップを表示装置１１０に表示する抽出部１３２と、利用者からの一次コンテンツの編集指示を受け付ける入力受付部１３４と、編集指示およびコンテンツ編集制限の制約に基づいて、一次コンテンツを編集して二次コンテンツを生成するコンテンツ編集部１３３と、を備える。【選択図】        図２
2009188936.tif 000002
【特許請求の範囲】
【請求項１】
著作権が付随する一次コンテンツを編集するコンテンツ編集装置において、
前記一次コンテンツを取得するコンテンツ取得手段と、
取得した前記一次コンテンツに対する編集可能な制約を示す編集制限を取得する編集制限取得手段と、
前記編集制限の制約に基づいて前記一次コンテンツから編集可能な部分コンテンツを抽出して、抽出した前記部分コンテンツを表示部に表示する抽出手段と、
利用者からの前記一次コンテンツの編集指示を受け付ける入力受付手段と、
前記編集指示および前記編集制限の制約に基づいて、前記一次コンテンツを編集して二次コンテンツを生成するコンテンツ編集手段と、
を備えることを特徴とするコンテンツ編集装置。
【請求項２】
前記編集制限は、前記一次コンテンツの編集可能な範囲の制約と、前記二次コンテンツの最大長の制約とを含み、
前記抽出手段は、前記編集制限を参照して、前記一次コンテンツから前記編集可能な範囲の前記部分コンテンツを抽出し、前記編集制限から前記一次コンテンツの最大長を抽出し、抽出した前記部分コンテンツと前記最大長とを前記表示部に表示することを特徴とする請求項１に記載のコンテンツ編集装置。
【請求項３】
前記一次コンテンツは、音声データまたは音声付動画像である音声付映像データを含み、
前記編集制限は、前記音声データまたは前記音声付映像データにおける音声編集の可否の制約を含み、
前記抽出手段は、さらに、前記編集制限から前記音声編集の可否を抽出し、抽出した前記音声編集の可否を前記表示部に表示することを特徴とする請求項２に記載のコンテンツ編集装置。
【請求項４】
前記一次コンテンツは、静止画像または動画像である画像データを含み、
前記編集制限は、前記一次コンテンツにおける画像編集の可否の制約を含み、
前記抽出手段は、さらに、前記編集制限から前記画像編集の可否を抽出し、抽出した前記画像編集の可否を前記表示部に表示することを特徴とする請求項２または３に記載のコンテンツ編集装置。
【請求項５】
生成された前記二次コンテンツに対して、前記二次コンテンツが前記編集制限の制約に従って編集して生成されたことを示す識別情報を付与する識別情報付与手段をさらに備えることを特徴とする請求項１〜４のいずれか一つに記載のコンテンツ編集装置。
【請求項６】
前記識別情報は、電子署名であることを特徴とする請求項５に記載のコンテンツ編集装置。
【請求項７】
前記編集制限取得手段は、前記コンテンツ編集装置とネットワークで接続され、前記編集制限を蓄積する編集制限提供装置から、取得した前記一次コンテンツに対応する前記編集制限を取得することを特徴とする請求項１〜６に記載のコンテンツ編集装置。
【請求項８】
著作権が付随する一次コンテンツを編集するコンテンツ編集装置で実行されるコンテンツ編集方法おいて、
前記一次コンテンツを取得するコンテンツ取得ステップと、
取得した前記一次コンテンツに対する編集可能な制約を示す編集制限を取得する編集制限取得ステップと、
前記編集制限の制約に基づいて前記一次コンテンツから編集可能な部分コンテンツを抽出して、抽出した前記部分コンテンツを表示部に表示する抽出ステップと、
利用者からの前記一次コンテンツの編集指示を受け付ける入力受付ステップと、
前記編集指示および前記編集制限の制約に基づいて、前記一次コンテンツを編集して二次コンテンツを生成するコンテンツ編集ステップと、
を含むことを特徴とするコンテンツ編集方法。
【請求項９】
著作権が付随する一次コンテンツを取得するコンテンツ取得ステップと、
取得した前記一次コンテンツに対する編集可能な制約を示す編集制限を取得する編集制限取得ステップと、
前記編集制限の制約に基づいて前記一次コンテンツから編集可能な部分コンテンツを抽出して、抽出した前記部分コンテンツを表示部に表示する抽出ステップと、
利用者からの前記一次コンテンツの編集指示を受け付ける入力受付ステップと、
前記編集指示および前記編集制限の制約に基づいて、前記一次コンテンツを編集して二次コンテンツを生成するコンテンツ編集ステップと、
をコンピュータに実行させるコンテンツ編集プログラム。
【発明の詳細な説明】
【技術分野】
【０００１】
本発明は、著作権が付随する一次コンテンツを編集した二次コンテンツをコンピュータネットワーク上に掲載する場合に、該一次コンテンツを編集して二次コンテンツを生成するコンテンツ編集装置、コンテンツ編集方法、およびコンテンツ編集プログラムに関するものである。
【背景技術】
【０００２】
近年、インターネット（Internet）が普及し、ホームページ、ブログ（Blog）、ＳＮＳ（Social Networking Service）など、個人が気軽に情報発信できるサービスが登場している。特に、ブログは日記風ホームページとも言われ、自身の日常生活を文字・画像・動画・ハイパーリンクなどで表現して発信する利用方法が一般的である。この場合の画像・動画とは個人がデジタルカメラやデジタルビデオカメラを使用して撮影したものが一般的であり、それらをブログなどへ掲載することに著作権法上の問題はない。
【０００３】
しかしながら、今後ますますブログなどの情報発信サービスが日常生活に浸透していくに従って、ＣＤ（Compact Disc）・ＤＶＤ（Digital Versatile Disk）の購買やネット配信などの手段で入手した著作権付きのデジタルコンテンツ（画像・音楽・映像等）を、自身のブログなどインターネット上へ掲載したいというニーズは高まっていくと予想される。
【０００４】
例えば、お気に入りの音楽・テレビ番組・映画などを自身のブログで紹介する際に、単に紹介記事をブログ読者に読んでもらうだけでなく、実際のコンテンツもその場で視聴してもらうことで、コンテンツの良し悪しをブログ読者に肌で感じてもらいたい場合である。ただし、著作権付きのコンテンツをそのままブログなどへ掲載する行為は、著作権法上の「公衆送信」に該当し、著作権法違反であるため、現状のままでは、多くのインターネット上の情報発信者は、著作権付きコンテンツのインターネットへの掲載を断念し、やむなく紹介記事のみの掲載に留めることになるだろう。なお、さらにできることとしては、テレビ番組・映画の公式サイトへのリンクの掲載などであると思われる。
【０００５】
従って、情報発信者は、自身が購買した著作権付きコンテンツを著作権の侵害をせずに、すなわち著作権法違反を回避して、インターネットに掲載できる技術・仕組みを今後必要とするようになると予想される。
【０００６】
一方、著作権付きコンテンツの著作権者側の立場から考えた場合、情報発信者によって自身の著作物が紹介されることは著作物の宣伝となるため望ましい。ただし、著作物が丸ごとインターネット上に掲載されたのでは、宣伝どころか著作物がかえって購買されなくなってしまうため、著作物を丸ごと掲載されることは認めることができない。
【０００７】
上述した「著作権付きコンテンツが著作権の侵害をせずにインターネットに掲載される」とは、著作権者が許諾する範囲内、もしくは著作権上「引用」とみなされる範囲内で、著作権付きコンテンツがインターネットに掲載されるということである。その場合は、ブログ読者などが該コンテンツをブログ上などで視聴しても購読意欲を失うことはなく、むしろ紹介記事のみで紹介される場合よりも著作物の宣伝効果は高くなるため、上述した技術・仕組みは著作権者側の利益も大きい。
【０００８】
そこで、デジタルコンテンツを扱った著作物の著作権者が、著作物を所定の単位に部品化して、それぞれの部品単位で二次著作物への利用を可能とする二次著作物作成システムが開示されている（例えば、特許文献１参照）。この特許文献１の二次著作物作成システムでは、著作権者は、自身の作成した一次著作物を任意の単位で分割して「素材化」し、素材毎に二次著作物作成者（情報発信者）が該素材を使用してよいか否かを示す使用許諾情報を作成する。そして、一次著作物の著作権者は、一次著作物・素材情報・使用許諾情報を二次著作物作成者に提供する。
【０００９】
また、一次コンテンツから作成される二次コンテンツが、一次著作権者などが定める審査ルールに従うか否かを審査するコンテンツ審査装置、審査に合格した二次コンテンツでないとコンテンツの再生・流通を行わないコンテンツ再生装置、およびコンテンツ流通装置が開示されている（例えば、特許文献２参照）。
【００１０】
【特許文献１】特開２００４−１１８３２４号公報
【特許文献２】特開２００６−７２６５１号公報
【発明の開示】
【発明が解決しようとする課題】
【００１１】
しかしながら、上記特許文献１の発明では、一次著作権者、および二次著作権者（二次コンテンツ作成者）にとっての利便性が高くない。すなわち、例えば、一次著作物として「映画」を例として説明すると、まず、一次著作権者は、二次著作権者が利用を所望すると予想される映像クリップを全て洗い出す必要があるが、一次著作権者にとって著作物から複数の素材を作成することは負担が大きい。
【００１２】
また、一次著作権者は、各素材である映像クリップの長さをどのくらいにするか、どこからどこまでを一つの素材とするか等も決定する必要があり、一次著作権者の負担は大きい。さらに、一次著作物の利用制限手段が素材毎の利用の可否しかなく、一次著作権者が所望するような利用制限とすることが困難である。また、利用を許可する映像クリップを数多く用意した場合に、一次著作権者は、実際に二次著作権者が一つの二次著作物に利用する映像クリップの数の制限等、細かい利用制限を設定することができなかった。
【００１３】
一方、二次著作権者は、一次著作物の映像クリップ等の素材の利用単位を一次著作権者によって決定されてしまうため、一次著作権者が用意する映像クリップの一部分だけを利用したい場合でも、一部分のみの利用は不可能となってしまう。また、二次著作権者は、映像クリップにおける不要と考える映像部分も、利用したいと考える映像部分と併せて利用しなくてはならなかった。
【００１４】
また、上記特許文献２の発明では、一次著作権者の承諾範囲外の二次コンテンツが流通しないための仕組みを提供しており、一次著作権者の権利を守ることはできる。しかしながら、二次コンテンツ作成者（情報発信者）が著作権法違反をせずに二次コンテンツを作成する手段は提供していない。
【００１５】
本発明は、上記に鑑みてなされたものであって、一次コンテンツの著作権者にとっては、一次コンテンツに対する所望の編集制限の作成時の負担を軽減でき、二次コンテンツの著作権者（二次コンテンツの生成者）にとっては、著作権侵害を回避するとともに、一次コンテンツに対して所望の編集を可能にすることで、両者にとって利便性を向上させるコンテンツ編集装置、コンテンツ編集方法、およびコンテンツ編集プログラムを提供することを目的とする。
【課題を解決するための手段】
【００１６】
上述した課題を解決し、目的を達成するために、請求項１にかかる発明は、著作権が付随する一次コンテンツを編集するコンテンツ編集装置において、前記一次コンテンツを取得するコンテンツ取得手段と、取得した前記一次コンテンツに対する編集可能な制約を示す編集制限を取得する編集制限取得手段と、前記編集制限の制約に基づいて前記一次コンテンツから編集可能な部分コンテンツを抽出して、抽出した前記部分コンテンツを表示部に表示する抽出手段と、利用者からの前記一次コンテンツの編集指示を受け付ける入力受付手段と、前記編集指示および前記編集制限の制約に基づいて、前記一次コンテンツを編集して二次コンテンツを生成するコンテンツ編集手段と、を備えることを特徴とする。
【００１７】
また、請求項２にかかる発明は、請求項１に記載のコンテンツ編集装置において、前記編集制限は、前記一次コンテンツの編集可能な範囲の制約と、前記二次コンテンツの最大長の制約とを含み、前記抽出手段は、前記編集制限を参照して、前記一次コンテンツから前記編集可能な範囲の前記部分コンテンツを抽出し、前記編集制限から前記一次コンテンツの最大長を抽出し、抽出した前記部分コンテンツと前記最大長とを前記表示部に表示することを特徴とする。
【００１８】
また、請求項３にかかる発明は、請求項２に記載のコンテンツ編集装置において、前記一次コンテンツは、音声データまたは音声付動画像である音声付映像データを含み、前記編集制限は、前記音声データまたは前記音声付映像データにおける音声編集の可否の制約を含み、前記抽出手段は、さらに、前記編集制限から前記音声編集の可否を抽出し、抽出した前記音声編集の可否を前記表示部に表示することを特徴とする。
【００１９】
また、請求項４にかかる発明は、請求項２または３に記載のコンテンツ編集装置において、前記一次コンテンツは、静止画像または動画像である画像データを含み、前記編集制限は、前記一次コンテンツにおける画像編集の可否の制約を含み、前記抽出手段は、さらに、前記編集制限から前記画像編集の可否を抽出し、抽出した前記画像編集の可否を前記表示部に表示することを特徴とする。
【００２０】
また、請求項５にかかる発明は、請求項１〜４のいずれか一つに記載のコンテンツ編集装置において、生成された前記二次コンテンツに対して、前記二次コンテンツが前記編集制限の制約に従って編集して生成されたことを示す識別情報を付与する識別情報付与手段をさらに備えることを特徴とする。
【００２１】
また、請求項６にかかる発明は、請求項５に記載のコンテンツ編集装置において、前記識別情報は、電子署名であることを特徴とする。
【００２２】
また、請求項７にかかる発明は、請求項１〜６に記載のコンテンツ編集装置において、前記編集制限取得手段は、前記コンテンツ編集装置とネットワークで接続され、前記編集制限を蓄積する編集制限提供装置から、取得した前記一次コンテンツに対応する前記編集制限を取得することを特徴とする。
【００２３】
また、請求項８にかかる発明は、著作権が付随する一次コンテンツを編集するコンテンツ編集装置で実行されるコンテンツ編集方法おいて、前記一次コンテンツを取得するコンテンツ取得ステップと、取得した前記一次コンテンツに対する編集可能な制約を示す編集制限を取得する編集制限取得ステップと、前記編集制限の制約に基づいて前記一次コンテンツから編集可能な部分コンテンツを抽出して、抽出した前記部分コンテンツを表示部に表示する抽出ステップと、利用者からの前記一次コンテンツの編集指示を受け付ける入力受付ステップと、前記編集指示および前記編集制限の制約に基づいて、前記一次コンテンツを編集して二次コンテンツを生成するコンテンツ編集ステップと、を含むことを特徴とする。
【００２４】
また、請求項９にかかる発明は、著作権が付随する一次コンテンツを取得するコンテンツ取得ステップと、取得した前記一次コンテンツに対する編集可能な制約を示す編集制限を取得する編集制限取得ステップと、前記編集制限の制約に基づいて前記一次コンテンツから編集可能な部分コンテンツを抽出して、抽出した前記部分コンテンツを表示部に表示する抽出ステップと、利用者からの前記一次コンテンツの編集指示を受け付ける入力受付ステップと、前記編集指示および前記編集制限の制約に基づいて、前記一次コンテンツを編集して二次コンテンツを生成するコンテンツ編集ステップと、をコンピュータに実行させるコンテンツ編集プログラムである。
【発明の効果】
【００２５】
本発明によれば、編集制限に基づいた一次コンテンツから抽出した編集可能な部分コンテンツを表示し、利用者からの編集指示および該編集制限の制約に基づいて一次コンテンツを編集して二次コンテンツを生成することで、一次コンテンツの著作権者にとっては、一次コンテンツに対する所望の編集制限の作成時の負担を軽減でき、二次コンテンツの著作権者（二次コンテンツの生成者）にとっては、著作権侵害を回避するとともに、一次コンテンツに対して所望の編集を可能にすることで、両者にとって利便性を向上させるという効果を奏する。
【発明を実施するための最良の形態】
【００２６】
以下に添付図面を参照して、この発明にかかるコンテンツ編集装置、コンテンツ編集方法、およびコンテンツ編集プログラムの最良な実施の形態を詳細に説明する。
【００２７】
（実施の形態１）
本実施の形態にかかるコンテンツ編集装置は、一次コンテンツの著作権者が作成した編集に関する制約に基づいて、一次コンテンツを購入・保持している情報発信者（二次コンテンツの生成者）が、著作権法違反を回避しつつ、著作権付き一次コンテンツを所望する二次コンテンツに編集可能とするものである。本実施の形態では、一次コンテンツから編集して二次コンテンツを生成すること、および生成した二次コンテンツをインターネット上に掲載することが、一次コンテンツの購入者のみの特典という位置づけとなっている。
【００２８】
ここで、一次コンテンツとは、著作権が付随するデジタルコンテンツ、すなわち許可なく編集することができない部分を含むデジタルコンテンツを示しており、例えば、音声データや音声付動画像である音声付映像データ、静止画像または動画像である画像データなどである。また、二次コンテンツとは、一次コンテンツを編集して生成されたものを示しており、例えば、一次コンテンツのダイジェストなどである。また、情報発信者とは、一次コンテンツを編集して二次コンテンツを生成し、インターネット上に生成した二次コンテンツを掲載して発信する者である。
【００２９】
まず、一次コンテンツを編集して二次コンテンツを生成して、生成した二次コンテンツをインターネット上に掲載するまでの流れを説明する。図１は、一次コンテンツを編集して生成した二次コンテンツをインターネット上に掲載する場合における全体の流れを示す概念図である。
【００３０】
図１に示すように、まず、一次コンテンツ（著作権付きコンテンツ）１の著作権者（以下、著作権者という。）４００は、コンテンツ編集制限２を作成し、作成したコンテンツ編集制限２をコンテンツ編集制限提供サーバ３００へ登録することで、コンテンツ編集制限２をインターネット５００上に公開する。コンテンツ編集制限提供サーバ３００は、複数の一次コンテンツに対応する複数のコンテンツ編集制限を、一次コンテンツを一意に識別するためのＩＤと対応付けて蓄積しており、コンテンツ編集装置からの要求に従ってコンテンツ編集制限を提供するサーバである。
【００３１】
ここで、コンテンツ編集制限とは、一次コンテンツに対する編集可能な制約を示したものであり、該一次コンテンツの著作権者により作成される。例えば、コンテンツ編集制限の制約としては、一次コンテンツの編集可能な範囲の制約、一次コンテンツを編集して生成した二次コンテンツの最大長の制約、一次コンテンツが音声データまたは音声付映像データであった場合における音声編集の可否の制約、一次コンテンツが画像データであった場合における画像編集の可否の制約等がある。
【００３２】
そして、二次コンテンツ（一次コンテンツのダイジェスト）３をインターネット５００上に掲載する情報発信者（以下、情報発信者という。）により、コンテンツ編集装置１００で二次コンテンツ３が生成される。具体的には、コンテンツ編集装置１００は、一次コンテンツ１を取得した後、一次コンテンツ１のＩＤを抽出し、該ＩＤに対応するコンテンツ編集制限２を、コンテンツ編集制限提供サーバ３００から取得する。そして、コンテンツ編集装置１００は、コンテンツ編集制限２が記述する制約に従って一次コンテンツ１を編集し、コンテンツ編集制限２の制約に従った一次コンテンツのダイジェストである二次コンテンツ３を生成する。そして、情報発信者は、生成された二次コンテンツ３を、自身のブログ４などへアップロードしてインターネット５００上に掲載する。
【００３３】
図２は、実施の形態１にかかるコンテンツ編集装置の構成を示すブロック図である。図２に示すように、コンテンツ編集装置１００は、インターネット５００を介してコンテンツ編集制限提供サーバ３００と接続されており、表示装置１１０と、入力装置１２０とに接続され、更に、表示制御部１３１と、コンテンツ取得部１３５と、編集制限取得部１３６と、抽出部１３２と、入力受付部１３４と、コンテンツ編集部１３３と、送受信部１３７と、ＨＤＤ（Hard Disk Drive）１５０を主に備えている。
【００３４】
ここで、以下では、一次コンテンツとして映画コンテンツを適用し、二次コンテンツとして映画コンテンツのダイジェストを適用し、情報発信者として映画コンテンツを編集して映画コンテンツのダイジェストを生成し、インターネット上で発信する者を適用した例を示すものとする。
【００３５】
表示装置１１０は、文字や画像を表示するディスプレイ装置であり、各種設定画面等が表示される。
【００３６】
入力装置１２０は、マウス、トラックボールやトラックパッドなどのポインティングデバイスやキーボード等であり、表示装置１１０に表示された設定画面等に対する利用者による操作が行われるものである。
【００３７】
表示制御部１３１は、各種設定画面等を表示装置１１０の表示画面に表示する制御を行うものである。
【００３８】
コンテンツ取得部１３５は、編集を所望する一次コンテンツ、すなわち映画コンテンツを取得するものである。例えば、コンテンツ取得部１３５は、ネットワークを通じて映画コンテンツを購入し、ダウンロードして保存することによりその映画コンテンツを取得する。また、コンテンツ取得部１３５は、映画コンテンツが記録された市販のＤＶＤ（Digital Versatile Disk）を購入し、購入したＤＶＤから映画コンテンツを読込むことによりその映画コンテンツを取得する。
【００３９】
ここで、映画コンテンツのデータ構成について説明する。図３は、映画コンテンツのデータ構成の一例を示す図である。図３に示すように、一次コンテンツである映画コンテンツは、コンテンツを一意に識別するためのコンテンツＩＤが付与され、複数のチャプタのサブコンテンツに分割された構造となっている。図３に示す例では、コンテンツＩＤとして「１００１」が付与されている。また、この例では、チャプタ１は物語の序章であり、チャプタ３はラブロマンスがメインの章であり、チャプタ４はカーアクションがメインの章であり、チャプタ６は物語の終章となって分割されている。
【００４０】
編集制限取得部１３６は、取得した映画コンテンツに対する編集可能な制約を示すコンテンツ編集制限を取得するものである。具体的には、編集制限取得部１３６は、コンテンツ取得部１３５により取得した映画コンテンツが有するＩＤを、コンテンツ編集装置１００とネットワークで接続されたコンテンツ編集制限提供サーバ３００に送信することで、コンテンツ編集制限提供サーバ３００にコンテンツ編集制限の要求をする。そして、コンテンツ編集制限提供サーバ３００は、この要求によって取得した映画コンテンツのＩＤに対応するコンテンツ編集制限をコンテンツ編集装置１００に送信し、編集制限取得部１３６がこのコンテンツ編集制限を受信することで取得する。
【００４１】
ここで、コンテンツ編集制限のデータ構成について説明する。図４−１は、コンテンツ編集制限のデータ構成の一例を示す図である。図４−１に示すように、コンテンツ編集制限は、ＸＭＬ（Extensible Markup Language）で記述されている。図４−２は、図４−１におけるコンテンツ編集制限の自然言語による解釈を示す図である。
【００４２】
図４−１、図４−２の解釈２１を参照すると、まず、コンテンツ編集制限には、ダイジェスト（二次コンテンツ）に含めてもよい映画コンテンツの範囲がタグを用いて記述されている。例えば、図４−１では、「<editable> <chapter1> <start>0:00</start> <end>15:00</end> </chapter1>…<chapter6> <start>2:00</start> <end>2:15</end> </chapter6> </editable>」と記載されており、「チャプタ１の冒頭１５分  チャプタ３の冒頭２０分  チャプタ４の冒頭２０分  チャプタ６の２分目から１５秒間の範囲で編集可能」という内容の制約が記述されている（図４−２参照）。ここで、図４−１における<start>から</end>までが、一つのチャプタに対する編集可能な範囲の制約であり、チャプタの「開始−終了」と称する。
【００４３】
また、図４−１では、「<max_length> 1:00</max_length> <audio_editable>yes</audio_ editable> <video_editable>no</video_editable>」と記載されており、「最大１分間のダイジェストを作成可能であり、音声は編集可能であり、映像は編集不可である」という内容の制約の記述がされている（図４−２参照）。
【００４４】
ここで、音声の編集（音声データの編集）とは、情報発信者が自ら作成した音声データ、例えば、映画コンテンツを紹介するナレーションなどを、映画コンテンツの音声の代替としたり、映画コンテンツの音声に重畳したりすることである。また、映像の編集（映像データの編集）とは、映像を効果的に説明するための文字データを映像と重畳表示するために映画コンテンツの映像データに文字データを付与することである。
【００４５】
抽出部１３２は、コンテンツ編集制限提供サーバ３００から取得したコンテンツ編集制限の制約に基づいて映画コンテンツから編集可能な映像クリップ（部分コンテンツ）等を抽出して、抽出した映像クリップ等を表示装置１１０に表示するものである。図４−１、図４−２を参照して説明すると、例えば、抽出部１３２は、コンテンツ編集制限を参照して、映画コンテンツから編集可能な範囲の映像クリップ（チャプタ１の冒頭１５分、チャプタ３の冒頭２０分、チャプタ４の冒頭２０分、チャプタ６の２分目から１５秒間）を抽出して、コンテンツ編集制限から、映画コンテンツのダイジェストの作成可能な最大長（１分間）と、音声編集の可否（音声編集・可）と、映像編集の可否（映像編集・不可）を抽出し、抽出した映像クリップ、ダイジェストの最大長、音声編集の可否、映像編集の可否を、表示装置１１０に表示する。
【００４６】
ここで、上述した映像クリップ、ダイジェストの最大長、音声編集の可否、映像編集の可否等は、抽出部１３２によってコンテンツ編集ウィンドウに表示される。図５は、コンテンツ編集ウィンドウの一例を示す図である。
【００４７】
図５に示すように、コンテンツ編集ウィンドウ２００は、左上に、「編集機能の一覧ウィンドウ２１０」が表示される。「編集機能の一覧ウィンドウ２１０」は、利用者による編集指示を受け付ける際のボタンを表示しており、範囲指定ボタン２１１、確定ボタン２１２、音声代替ボタン２１３、音声重畳ボタン２１４、文字重畳ボタン２１５、コピーボタン２１６、貼り付けボタン２１７等がある。
【００４８】
また、「編集機能の一覧ウィンドウ２１０」の下方には、「編集制限の表示ウィンドウ２２０」が表示される。「編集制限の表示ウィンドウ２２０」は、コンテンツ編集制限の内容、すなわち利用者が実行可能な操作、守るべき制約が表示されるものであり、例えば、コンテンツ編集制限から抽出した音声編集の可否、映像編集の可否、ダイジェストの最大長、および編集中である現在のダイジェストの長さが表示される。
【００４９】
そして、コンテンツ編集ウィンドウ２００の右側には、「編集可能なチャプタの一覧ウィンドウ２５０」が表示される。「編集可能なチャプタの一覧ウィンドウ２５０」には、コンテンツ編集制限を参照して映画コンテンツから抽出された編集可能な範囲の映像クリップが表示される。例えば、図４−１、図４−２によると、チャプタ１（２５１）、チャプタ３（２５２）、チャプタ４（２５３）、チャプタ６（２５４）が編集可能であるから、それぞれのチャプタが編集可能なチャプタの一覧ウィンドウ２５０に表示される。
【００５０】
また、コンテンツ編集ウィンドウ２００の中央上部には、「編集対象チャプタの表示ウィンドウ２３０」が表示される。「編集対象チャプタの表示ウィンドウ２３０」には、映画コンテンツを編集する際に利用者により選択された「編集可能なチャプタの一覧ウィンドウ２５０」におけるチャプタの映像が表示部２３１に表示され、その下部に編集の際の各種操作ボタンが表示されている。
【００５１】
また、コンテンツ編集ウィンドウ２００の中央下部には、「作成中のダイジェスト確認ウィンドウ２４０」が表示される。「作成中のダイジェスト確認ウィンドウ２４０」には、現在作成中であるダイジェストを確認する際に該ダイジェストの映像が表示部２４１に表示され、その下部に確認を行う際の各種操作ボタンが表示されている。
【００５２】
図２に戻って、入力受付部１３４は、表示装置１１０に表示された上述のコンテンツ編集ウィンドウ２００から、利用者による映画コンテンツの編集指示の入力を受け付けるものである。また、入力受付部１３４は、利用者が入力装置１２０を操作することにより、表示装置１１０に表示された設定画面等に対する操作入力を受け付ける。
【００５３】
コンテンツ編集部１３３は、入力受付部１３４から受け付けた利用者からの編集指示と、コンテンツ編集制限提供サーバ３００から取得したコンテンツ編集制限の制約とに基づいて、映画コンテンツを編集して映画コンテンツのダイジェストを生成するものである。すなわち、コンテンツ編集部１３３は、まず、ダイジェストに組み込む映像クリップが利用者から選択されると（範囲選択ボタン、確定ボタン）、必要に応じて音声編集（音声代替ボタン、音声重畳ボタン）や映像編集（文字重畳ボタン）を行った後、選択された映像クリップのダイジェストへの組み込む（コピーボタン、貼り付けボタン）という流れとなる。音声編集・映像編集は、コンテンツ編集制限によって許可された場合のみ行える。この編集方法の詳細については、図７において説明する。
【００５４】
送受信部１３７は、インターネット５００を介して接続されたコンテンツ編集制限提供サーバ３００等の外部装置等と情報の送受信を行うものである。
【００５５】
ＨＤＤ１５０は、コンテンツ編集部１３３により生成された映画コンテンツのダイジェストを記憶する記憶媒体である。
【００５６】
次に、以上のように構成された本実施の形態にかかるコンテンツ編集装置１００による映画コンテンツ（一次コンテンツ）の取得から、コンテンツ編集ウィンドウの表示までの流れを説明する。図６は、コンテンツ編集ウィンドウの表示処理の手順を示すフローチャートである。
【００５７】
まず、コンテンツ取得部１３５は、ダウンロードやＤＶＤからの読込み等により編集を所望する映画コンテンツ（一次コンテンツ）を取得する（ステップＳ１０）。次に、編集制限取得部１３６は、取得した映画コンテンツに対応するコンテンツ編集制限を、コンテンツ編集制限提供サーバ３００から取得する（ステップＳ１１）。
【００５８】
次に、抽出部１３２は、取得したコンテンツ編集制限を参照して、映画コンテンツから、編集可能なチャプタの「開始−終了」の範囲の映像クリップ抽出する（ステップＳ１２）。そして、抽出部１３２は、抽出した映像クリップを、表示装置１１０に表示されたコンテンツ編集ウィンドウ２００の「編集可能なチャプタの一覧ウィンドウ２５０」に表示する（ステップＳ１３）。
【００５９】
そして、抽出部１３２は、映画コンテンツから編集可能な全ての映像クリップを抽出したか否かを判断する（ステップＳ１４）。全ての映像クリップを抽出していない場合（ステップＳ１４：Ｎｏ）、ステップＳ１２に戻って処理を繰り返す。
【００６０】
一方、全ての映像クリップを抽出している場合（ステップＳ１４：Ｙｅｓ）、抽出部１３２は、コンテンツ編集制限から映画コンテンツのダイジェストの最大長を抽出する（ステップＳ１５）。そして、抽出部１３２は、抽出した映画コンテンツのダイジェストの最大長を、表示装置１１０に表示されたコンテンツ編集ウィンドウ２００の「編集制限の表示ウィンドウ２２０」に表示する（ステップＳ１６）。
【００６１】
次に、抽出部１３２は、コンテンツ編集制限から音声データの編集の可否を抽出する（ステップＳ１７）。そして、抽出部１３２は、抽出した音声データの編集の可否を、表示装置１１０に表示されたコンテンツ編集ウィンドウ２００の「編集制限の表示ウィンドウ２２０」に表示する（ステップＳ１８）。
【００６２】
次に、抽出部１３２は、コンテンツ編集制限から映像データの編集の可否を抽出する（ステップＳ１９）。そして、抽出部１３２は、抽出した映像データの編集の可否を、表示装置１１０に表示されたコンテンツ編集ウィンドウ２００の「編集制限の表示ウィンドウ２２０」に表示する（ステップＳ２０）。
【００６３】
このようにして、コンテンツ編集装置１００は、映画コンテンツ（一次コンテンツ）とコンテンツ編集制限とから、映画コンテンツに対する編集可能な範囲等を抽出して、抽出した該範囲等を利用者が編集の際に使用するコンテンツ編集ウィンドウ２００に表示する。そして、利用者は、コンテンツ編集ウィンドウ２００から、映画コンテンツのダイジェスト（二次コンテンツ）の編集指示を行う。
【００６４】
次に、コンテンツ編集装置１００における編集処理について説明する。図７は、実施の形態１におけるコンテンツ編集装置による編集処理の手順を示すフローチャートである。
【００６５】
まず、図６のフローチャートで説明したコンテンツ編集ウィンドウ２００が表示装置１１０に表示された場合に、入力受付部１３４は、利用者が編集を所望するチャプタの映像クリップの選択を受け付ける（ステップＳ３０）。
【００６６】
具体的には、利用者が映画コンテンツのダイジェストを生成するために編集する映像クリップを選択する場合、まず「編集機能の一覧ウィンドウ２１０」の範囲指定ボタン２１１を押下する。そうすると、コンテンツ編集ウィンドウ２００は、利用者に確定ボタン２１２を２回押下するように要求する。
【００６７】
利用者は、「編集対象チャプタの表示ウィンドウ２３０」のタイムバーを直接クリックするか、もしくは表示部２３１の下部にある、再生ボタン・一時停止ボタン・早送りボタン・コマ送りボタン・巻き戻しボタン・コマ戻しボタンを必要な組み合わせで押下することで、編集対象のチャプタにおける所望の位置へ移動する。このとき、タイムバーの現在位置ポインタを見れば、チャプタのどの位置へ移動したかがわかる。
【００６８】
利用者は、編集対象のチャプタの所望の位置へ移動したら、コンテンツ編集ウィンドウ２００の要求に応じて確定ボタン２１２を押下する。同じく、編集対象のチャプタの所望の位置へ移動して、確定ボタン２１２の押下することで、確定ボタン２１２を合計２回押下する。そうすると、１回目の押下時のタイムバーの現在位置と２回目の押下時のタイムバーの現在位置とに挟まれる時間帯の映像クリップが、映画コンテンツのダイジェストに組み込むよう選択された映像クリップとなる。そして、映画コンテンツのダイジェストに組み込んで編集する映像クリップが選択されると、その映像クリップに対する音声編集・映像編集が可能となる。
【００６９】
図７に戻って、次に、コンテンツ編集部１３３は、音声編集が許可されており、かつ映像クリップの音声編集を受け付けたか否かを判断する（ステップＳ３１）。音声編集を受け付けていない場合（ステップＳ３１：Ｎｏ）、ステップＳ３３へ進む。一方、音声編集を受け付けた場合（ステップＳ３１：Ｙｅｓ）、コンテンツ編集部１３３は、映像クリップの音声を編集する（ステップＳ３２）。
【００７０】
具体的には、利用者が映像クリップの音声を編集するには、「編集機能の一覧ウィンドウ２１０」の音声代替ボタン２１３または音声重畳ボタン２１４を押下する。どちらのボタンを場合でも、コンテンツ編集ウィンドウ２００は利用者に音声ファイルを指定するよう要求する。そして、指定された音声ファイルの音声が映像クリップの音声を代替されるか、もしくは映像クリップの音声に重畳される。
【００７１】
図７に戻って、次に、コンテンツ編集部１３３は、映像編集が許可されており、かつ映像クリップの映像編集を受け付けたか否かを判断する（ステップＳ３３）。映像編集を受け付けていない場合（ステップＳ３３：Ｎｏ）、ステップＳ３５へ進む。一方、映像編集を受け付けた場合（ステップＳ３３：Ｙｅｓ）、コンテンツ編集部１３３は、映像クリップの音声を編集する（ステップＳ３４）。
【００７２】
具体的には、利用者が映像クリップの映像を編集するには、「編集機能の一覧ウィンドウ２１０」の文字重畳ボタン２１５を押下する。そうすると、コンテンツ編集ウィンドウ２００は利用者に映像に重畳したい文字・フォント・重畳する位置の入力を求め、入力されると該文字情報を映像に重畳する。
【００７３】
図７に戻って、次に、コンテンツ編集部１３３は、編集した映像クリップを映画コンテンツのダイジェストに組み込んだ場合、コンテンツ編集制限を満たすか否かを判断する（ステップＳ３５）。コンテンツ編集制限を満たさない場合（ステップＳ３５：Ｎｏ）、表示制御部１３１は、表示装置１１０の表示部にエラーメッセージを表示する（ステップＳ３７）。
【００７４】
一方、コンテンツ編集制限を満たす場合（ステップＳ３５：Ｙｅｓ）、コンテンツ編集部１３３は、編集された映像クリップを映画コンテンツのダイジェストに組み込む（ステップＳ３６）。
【００７５】
具体的には、利用者が編集された映像クリップを映画コンテンツのダイジェストに組み込む場合には、コピーボタン２１６を押下した後に、貼り付けボタン２１７を押下する。コピーボタン２１６が押下される前に音声編集・映像編集が行われている場合、それらの編集が反映された映像クリップが貼り付けボタン２１７押下時に映画コンテンツのダイジェストに組み込まれる。コピーボタン２１６が押下される前に音声編集・映像編集が行われていない場合、オリジナルの映像クリップがそのまま映画コンテンツのダイジェストへ組み込まれる。
【００７６】
貼り付けボタン２１７の押下時に、現在の映画コンテンツのダイジェストの長さと、映画コンテンツのダイジェストに組み込まれようとしている映像クリップの長さの合計がコンテンツ編集制限により定められたダイジェストの最大長を超過していないかどうかを判断し（図７のステップＳ３５参照）、超過している場合には利用者にエラーメッセージを表示して（図７のステップＳ３７参照）、映画コンテンツのダイジェストへの組み込みを行わないようにする。
【００７７】
図７に戻って、次に、コンテンツ編集部１３３は、入力受付部１３４により利用者が編集を所望する他の映像クリップの選択を受け付けたか否かを判断する（ステップＳ３８）。他の映像クリップの選択を受け付けた場合（ステップＳ３８：Ｙｅｓ）、ステップＳ３０に戻って処理を繰り返す。一方、他の映像クリップの選択を受け付けていない場合（ステップＳ３８：Ｎｏ）、編集処理を終了する。
【００７８】
映画コンテンツの映像クリップの編集を終えて、映画コンテンツのダイジェストに組み込んで映画コンテンツのダイジェストを生成した後、利用者はコンテンツ編集ウィンドウ２００が備える映画コンテンツのダイジェストの保存機能を利用して、映画コンテンツのダイジェストをコンテンツ編集装置１００のＨＤＤ１５０に保存する。以上により利用者は著作権を侵害しない映画コンテンツのイジェストを得ることができる。
【００７９】
このように、実施の形態１にかかるコンテンツ編集装置１００は、情報発信者が一次コンテンツ１を取得し、コンテンツ編集制限提供サーバ３００からコンテンツ編集制限２を取得して、取得したコンテンツ編集制限２に従って、一次コンテンツ１を編集して二次コンテンツ３を生成する。そして、情報発信者は、生成された二次コンテンツ３を、自身のブログ４などへアップロードしてインターネット５００上に掲載する。従って、一次コンテンツ１の著作権者にとっては、作成した一次コンテンツの一部を第三者に利用させる場合に行う作業はコンテンツ編集制限２の作成のみであるため、一次コンテンツ１に対する所望の制約を盛り込んだ編集制限の作成時の負担を軽減できる。一方、情報発信者にとっては、コンテンツ編集制限２に従うことで著作権侵害を回避するとともに、一次コンテンツ１に対して所望の編集が可能となる。このように、実施の形態１にかかるコンテンツ編集装置１００は、一次コンテンツ１を編集して二次コンテンツ３を生成する際に、著作権者と情報発信者の両者にとって利便性を向上させることができる。
【００８０】
なお、本実施の形態では、著作権者がコンテンツ編集制限を作成・登録する構成となっているが、これに限定されることなく、任意の第三者がコンテンツ編集制限を作成・登録する構成としてもよい。それは、コンテンツ編集制限が記述する制約が十分厳しく、生成される一次コンテンツダイジェスト（二次コンテンツ）が著作権法上の「引用」とみなしうる場合である。
【００８１】
（実施の形態２）
実施の形態１にかかるコンテンツ編集装置は、コンテンツ編集制限に従って、一次コンテンツを編集して二次コンテンツを生成するものであったが、本実施の形態では、さらに、二次コンテンツに、コンテンツ編集制限に従って一次コンテンツを編集した旨を示す識別情報を付与するものである。なお、実施の形態２においても、実施の形態１と同様に、一次コンテンツを映画コンテンツに、二次コンテンツを映画コンテンツのダイジェストに適用した例を示す。
【００８２】
図８は、実施の形態２にかかるコンテンツ編集装置の構成を示すブロック図である。図８に示すように、コンテンツ編集装置１０１は、インターネット５００を介してコンテンツ編集制限提供サーバ３００と接続されており、表示装置１１０と、入力装置１２０とに接続され、更に、表示制御部１３１と、コンテンツ取得部１３５と、編集制限取得部１３６と、抽出部１３２と、入力受付部１３４と、コンテンツ編集部１３３と、送受信部１３７と、ＨＤＤ１５０と、署名付与部１３８とを主に備えている。ここで、コンテンツ編集装置１０１における署名付与部１３８以外の構成および機能は、実施の形態１と同様であるため説明を省略する。
【００８３】
署名付与部１３８は、生成された映画コンテンツのダイジェスト（二次コンテンツ）に対して、その映画コンテンツのダイジェストがコンテンツ編集制限の制約に従って映画コンテンツ（一次コンテンツ）から編集されて生成されたものであることを示す識別情報を付与するものである。例えば、署名付与部１３８は、映画コンテンツのダイジェストが、コンテンツ編集制限の制約に従って映画コンテンツから編集されて生成されたものであることを示す識別情報としての電子署名を、映画コンテンツのダイジェストに付与する。
【００８４】
これは、情報発信者が著作権法に違反していない映画コンテンツのダイジェストを生成したことを、任意の第三者が確認することができるように、コンテンツ編集装置１０１は生成した映画コンテンツのダイジェストに電子署名を付与するものである。
【００８５】
この場合、コンテンツ編集装置１０１は、映画コンテンツの著作権者により正しく機能することなどの評価を受け、認定を受けた場合に、コンテンツ編集装置１０１で実行されるプログラムは、映画コンテンツの著作権者によって公開鍵証明書の発行を受ける。該プログラムに公開鍵証明書を発行するＣＡ（Certification Authorization）（著作権者ＣＡ）は、自身の公開鍵証明書を公開する。第三者は、著作権者ＣＡの公開鍵証明書をあらかじめ取得しておくことで、映画コンテンツのダイジェストに付与された電子署名を検証して、その電子署名が著作権者ＣＡにより認定されたプログラムが付与した電子署名かどうかを確認することができる。なお、電子署名には署名を付与した主体の公開鍵証明書が添付されていることを前提とする。公開鍵証明書が添付されていない場合、その電子署名が著作権者ＣＡにより認定されたプログラムが付与した電子署名かどうかを確認することはできない。
【００８６】
次に、以上のように構成された本実施の形態にかかるコンテンツ編集装置１０１における編集処理について説明する。図９は、実施の形態２におけるコンテンツ編集装置による編集処理の手順を示すフローチャートである。ここで、映像クリップの選択から、エラーメッセージの表示までの処理（ステップＳ５０〜ステップＳ５７）は、実施の形態１と同様であるため説明を省略する（ステップＳ３０〜ステップＳ３７）。
【００８７】
次に、コンテンツ編集部１３３は、入力受付部１３４により利用者が編集を所望する他の映像クリップの選択を受け付けたか否かを判断する（ステップＳ５８）。他の映像クリップの選択を受け付けた場合（ステップＳ５８：Ｙｅｓ）、ステップＳ５０に戻って処理を繰り返す。
【００８８】
一方、他の映像クリップの選択を受け付けていない場合（ステップＳ５８：Ｎｏ）、署名付与部１３８は、映画コンテンツのダイジェストに電子署名を付与して（ステップＳ５９）、編集処理を終了する。
【００８９】
このように、実施の形態２にかかるコンテンツ編集装置１０１は、実施の形態１の効果に加え、以下の効果を有する。本実施の形態のコンテンツ編集装置１０１は、生成した二次コンテンツ（映画コンテンツのダイジェスト）に電子署名等の識別情報を付与することで、情報発信者により生成した二次コンテンツ（映画コンテンツのダイジェスト）が、著作権法に違反せず生成されたことを、任意の第三者が確認することができる。
【００９０】
（実施の形態３）
実施の形態１にかかるコンテンツ編集装置は、情報発信者が一次コンテンツおよびコンテンツ編集制限を取得して、取得したコンテンツ編集制限に従って、一次コンテンツを編集して二次コンテンツを生成するものであった。これに対し、本実施の形態では、情報発信者が著作権者側で提供されるサービス等にアクセスして著作権者側で保持されている一次コンテンツを、コンテンツ編集制限に従って編集して二次コンテンツを生成して、生成した二次コンテンツを情報発信者側の端末にダウンロードして保存するものである。
【００９１】
本実施の形態では、情報発信者が一次コンテンツを保持していない場合であって、著作権者が一次コンテンツの宣伝等を促進するために、情報発信者に対してサービスを行う場合である。図１０は、一次コンテンツを編集して生成した二次コンテンツをインターネット上に掲載する場合における全体の流れを示す概念図である。
【００９２】
図１０に示すように、まず、一次コンテンツ（著作権付きコンテンツ）１およびコンテンツ編集制限２は、著作権者４００側のコンテンツ編集装置１００で取得され保存され、一次コンテンツ１は、著作権者が著作権者側のサーバなどで提供されるＡＳＰサービス（Application Service Provider Service）５を利用して編集するようになっている。すなわち、情報発信者は、Ｗｅｂブラウザなどにより、著作権者のＡＳＰサービス５へアクセスして、コンテンツ編集制限２が記述する制限に従って著作権者側で保持されている一次コンテンツ１を編集し、コンテンツ編集制限２の制約に従った二次コンテンツ（一次コンテンツのダイジェスト）３を生成する。具体的な編集・生成方法は、実施の形態１による編集・生成方法と同様であるため説明を省略する。そして、情報発信者は、生成した二次コンテンツ３を、自身の端末にダウンロードしてＨＤＤに保存し、ブログ４などへアップロードしてインターネット５００上に掲載する。
【００９３】
このように、実施の形態３にかかるコンテンツ編集装置は、実施の形態１の効果に加えて、さらに以下の効果を有する。本実施の形態では、情報発信者は、著作権側のＡＳＰサービスにアクセスして、二次コンテンツの生成を行っている。従って、情報発信者側で、一次コンテンツ１からＩＤを抽出して、該ＩＤを送信することによりコンテンツ編集制限提供サーバ３００に要求を送信し、コンテンツ編集制限提供サーバ３００から一次コンテンツ１のＩＤに対応するコンテンツ編集制限２を取得する必要がなくなる。このため、コンテンツ編集制限２に従って一次コンテンツ１を編集して二次コンテンツ３を生成するまでの工程が少なくなり、情報発信者の負担をより軽減することができる。また、著作権者は、一次コンテンツの宣伝を促進することができる。
【００９４】
（実施の形態４）
実施の形態１にかかるコンテンツ編集装置は、情報発信者がダウンロード等により一次コンテンツを取得し、コンテンツ編集制限提供サーバ３００からコンテンツ編集制限を取得して、取得したコンテンツ編集制限に従って、一次コンテンツを編集して二次コンテンツを生成するものであった。これに対し、本実施の形態では、コンテンツ編集制限が一次コンテンツを一緒に提供され、著作権者がコンテンツ編集制限に従って一次コンテンツを編集して二次コンテンツを生成し、生成した二次コンテンツを情報発信者に提供するものである。
【００９５】
本実施の形態では、コンテンツ編集制限と一次コンテンツとが一緒に情報発信者に提供される場合である。図１１は、一次コンテンツを編集して生成した二次コンテンツをインターネット上に掲載する場合における全体の流れを示す概念図である。
【００９６】
図１１に示すように、まず、一次コンテンツ（著作権付きコンテンツ）１の著作権者（以下、著作権者という。）４００は、一次コンテンツ１と作成したコンテンツ編集制限２とを一緒に情報発信者に提供する。換言すると、情報発信者は、著作権者４００から、一次コンテンツ１とコンテンツ編集制限２とを一緒に取得する。
【００９７】
そして、情報発信者の指示により、コンテンツ編集装置１００は、コンテンツ編集制限２が記述する制限に従って一次コンテンツ１を編集し、コンテンツ編集制限２の制約に従った二次コンテンツ（一次コンテンツのダイジェスト）３を生成する。具体的な編集・生成方法は、実施の形態１による編集・生成方法と同様であるため説明を省略する。そして、情報発信者は、生成された二次コンテンツ３を、自身のブログ４などへアップロードしてインターネット５００上に掲載する。
【００９８】
このように、実施の形態４にかかるコンテンツ編集装置は、実施の形態１の効果に加えて、さらに以下の効果を有する。コンテンツ編集装置１００において、一次コンテンツ１からＩＤを抽出して、該ＩＤを送信することによりコンテンツ編集制限提供サーバ３００に要求を送信し、コンテンツ編集制限提供サーバ３００から一次コンテンツ１のＩＤに対応するコンテンツ編集制限２を取得する必要がなくなる。このため、コンテンツ編集制限２に従って一次コンテンツ１を編集して二次コンテンツ３を生成するまでの工程が少なくなり、情報発信者の負担をより軽減することができる。
【００９９】
図１２は、実施の形態１〜４のコンテンツ編集装置のハードウェア構成を示す図である。実施の形態１〜４のコンテンツ編集装置１００、１０１は、ＣＰＵ（Central Processing Unit）５００１などの制御装置と、ＲＯＭ（Read Only Memory）５００２やＲＡＭ（Random Access Memory）５００３などの記憶装置と、ＨＤＤ（Hard Disk Drive）、ＣＤドライブ装置などの外部記憶装置５００４と、ディスプレイ装置などの表示装置１１０と、キーボードやマウスなどの入力装置１２０と、通信Ｉ／Ｆ５００７と、これらを接続するバス５００８を備えており、通常のコンピュータを利用したハードウェア構成となっている。
【０１００】
実施の形態１〜４のコンテンツ編集装置１００、１０１で実行されるコンテンツ編集プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１０１】
また、実施の形態１〜４のコンテンツ編集装置１００、１０１で実行されるコンテンツ編集プログラムを、インターネット等のネットワークに接続されたコンピュータ上に格納し、ネットワーク経由でダウンロードさせることにより提供するように構成しても良い。また、実施の形態１〜４のコンテンツ編集装置１００、１０１で実行されるコンテンツ編集プログラムをインターネット等のネットワーク経由で提供または配布するように構成しても良い。
【０１０２】
また、実施の形態１〜４のコンテンツ編集プログラムを、ＲＯＭ等に予め組み込んで提供するように構成してもよい。
【０１０３】
実施の形態１〜４のコンテンツ編集装置１００、１０１で実行されるコンテンツ編集プログラムは、上述した各部（表示制御部１３１、抽出部１３２、コンテンツ編集部１３３、入力受付部１３４、コンテンツ取得部１３５、編集制限取得部１３６、送受信部１３７）を含むモジュール構成となっており、実際のハードウェアとしてはＣＰＵ（プロセッサ）が上記記憶媒体からコンテンツ編集プログラムを読み出して実行することにより上記各部が主記憶装置上にロードされ、表示制御部１３１、抽出部１３２、コンテンツ編集部１３３、入力受付部１３４、コンテンツ取得部１３５、編集制限取得部１３６、送受信部１３７が主記憶装置上に生成されるようになっている。
【図面の簡単な説明】
【０１０４】
【図１】一次コンテンツを編集して生成した二次コンテンツをインターネット上に掲載する場合における全体の流れを示す概念図である。
【図２】実施の形態１にかかるコンテンツ編集装置の構成を示すブロック図である。
【図３】映画コンテンツのデータ構成の一例を示す図である。
【図４−１】コンテンツ編集制限のデータ構成の一例を示す図である。
【図４−２】図４−１におけるコンテンツ編集制限の自然言語による解釈を示す図である。
【図５】コンテンツ編集ウィンドウの一例を示す図である。
【図６】コンテンツ編集ウィンドウの表示処理の手順を示すフローチャートである。
【図７】実施の形態１におけるコンテンツ編集装置による編集処理の手順を示すフローチャートである。
【図８】実施の形態２にかかるコンテンツ編集装置の構成を示すブロック図である。
【図９】実施の形態２におけるコンテンツ編集装置による編集処理の手順を示すフローチャートである。
【図１０】一次コンテンツを編集して生成した二次コンテンツをインターネット上に掲載する場合における全体の流れを示す概念図である。
【図１１】一次コンテンツを編集して生成した二次コンテンツをインターネット上に掲載する場合における全体の流れを示す概念図である。
【図１２】実施の形態１〜４のコンテンツ編集装置のハードウェア構成を示す図である。
【符号の説明】
【０１０５】
１    一次コンテンツ
２    コンテンツ編集制限
３    二次コンテンツ
４    ブログ
５    ＡＳＰサービス
１００，１０１    コンテンツ編集装置
１１０    表示装置
１２０    入力装置
１３１    表示制御部
１３２    抽出部
１３３    コンテンツ編集部
１３４    入力受付部
１３５    コンテンツ取得部
１３６    編集制限取得部
１３７    送受信部
１３８    署名付与部
２００    コンテンツ編集ウィンドウ
２１０    編集機能の一覧ウィンドウ
２１１    範囲指定ボタン
２１２    確定ボタン
２１３    音声代替ボタン
２１４    音声重畳ボタン
２１５    文字重畳ボタン
２１６    コピーボタン
２１７    貼り付けボタン
２２０    編集制限の表示ウィンドウ
２３０    編集対象チャプタの表示ウィンドウ
２３１    表示部
２４０    作成中のダイジェスト確認ウィンドウ
２４１    表示部
２５０    編集可能なチャプタの一覧ウィンドウ
３００    コンテンツ編集制限提供サーバ
４００    著作権者
５００    インターネット
【図１】
2009188936.tif 000003
【図２】
2009188936.tif 000004
【図３】
2009188936.tif 000005
【図４−１】
2009188936.tif 000006
【図４−２】
2009188936.tif 000007
【図５】
2009188936.tif 000008
【図６】
2009188936.tif 000009
【図７】
2009188936.tif 000010
【図８】
2009188936.tif 000011
【図９】
2009188936.tif 000012
【図１０】
2009188936.tif 000013
【図１１】
2009188936.tif 000014
【図１２】
2009188936.tif 000015